(57)【特許請求の範囲】
【請求項１】
戸袋内に収納されて開口部を開く開位置と戸袋の外側に出て開口部を閉じる閉位置との間を開閉方向に移動自在な引戸と、引戸を開閉方向に支持案内する案内部材と、引戸を閉方向へ引き込む引込装置とが備えられた引戸装置であって、
案内部材に、溝が長さ方向に形成され、
引込装置は、開方向側の端部に第１取付装置を有するとともに、閉方向側の端部に第２取付装置を有し、
第１取付装置は、案内部材の溝に支持案内されて開閉方向に移動自在な第１取付部材と、第１取付部材に設けられた弾性部材とを有し、
弾性部材は付勢力によって引込装置の開方向側の端部を案内部材に押し付け、
第２取付装置は、案内部材の溝に支持案内されて開閉方向に移動自在な第２取付部材と、第２取付部材に設けられた締付部材とを有し、
締付部材は締付力によって引込装置の閉方向側の端部を案内部材に押し付けることを特徴とする引戸装置。
【請求項２】
戸袋内に収納されて開口部を開く開位置と戸袋の外側に出て開口部を閉じる閉位置との間を開閉方向に移動自在な引戸と、引戸を開閉方向に支持案内する案内部材と、引戸を閉方向へ引き込む引込装置とが備えられた引戸装置であって、
案内部材に、溝が長さ方向に形成され、
引込装置は、開方向側の端部に第１取付装置を有するとともに、閉方向側の端部に第２取付装置を有し、
第１取付装置は案内部材の溝に支持案内されて開閉方向に移動自在な第１取付部材を有し、
第１取付部材は案内部材の溝内を開閉方向に移動自在な第１スライド体を有し、
引込装置が案内部材に取り付けられる取付姿勢になった場合、第１スライド体が押付姿勢になって、第１スライド体の開閉方向における端部が溝内で案内部材に押し付けられ、
引込装置の閉方向側の端部が取付姿勢から傾斜した傾斜姿勢になった場合、第１スライド体が押付解除姿勢になって、上記第１スライド体の端部の案内部材への押し付けが解除され、
第２取付装置は、案内部材の溝に支持案内されて開閉方向に移動自在な第２取付部材と、第２取付部材に設けられた締付部材とを有し、
締付部材は締付力によって引込装置の閉方向側の端部を案内部材に押し付けることを特徴とする引戸装置。
【発明の詳細な説明】
【技術分野】
【０００１】
本発明は、例えば家屋等に設けられる引戸装置に関する。
【背景技術】
【０００２】
従来、この種の引戸装置としては、例えば下記特許文献１に示すように、戸袋内に収納されて開口部を開く開位置と戸袋の外側に出て開口部を閉じる閉位置との間を開閉方向に移動自在な引戸と、引戸を開閉方向に支持案内する案内レールと、引戸を閉方向へ引き込む引込装置とが備えられたものがある。
【０００３】
図２５に示すように、引込装置１０５は、細長いケーシング１０６内に、ダンパーや引込ばね等を備えたものである。引戸は開閉方向においてダンパーと引込ばねとに係脱自在である。また、ケーシング１０６の長さ方向における両端部１０６ａ,１０６ｂはそれぞれ、ねじ１０９,１１０を介して、案内レール１０４に取り付けられている。
【０００４】
これによると、開口部を閉じる場合、引戸を戸袋内から閉方向へ移動させることにより、引戸が案内レール１０４に支持案内されて閉位置に移動する。この際、引戸は、閉位置に向って移動する途中で、ダンパーと引込ばねとに係合するため、ダンパーによって閉方向への移動速度が減衰するとともに、引込ばねによって緩やかに閉方向へ引き込まれる。
【０００５】
また、開口部を開放する場合、引戸を閉位置から開方向へ移動させることにより、引戸が案内レール１０４に支持案内されて開位置に移動する。この際、引戸は、閉位置から開位置に向って移動する途中まで、ダンパーによって開方向への移動速度が減衰し、その後、ダンパーと引込ばねとから離脱して、開位置へ到達し、戸袋内に収納される。
【０００６】
尚、上記のような引込装置１０５は例えば下記特許文献１に記載されている。
【先行技術文献】
【特許文献】
【０００７】
【特許文献１】特開２０１５−１９０２９０
【発明の概要】
【発明が解決しようとする課題】
【０００８】
しかしながら上記の従来形式では、取付現場において、案内レール１０４、戸袋および引戸を取り付けた状態で、引込装置１０５を案内レール１０４に取り付ける際、作業者は、引戸を開いた状態で、引込装置１０５を案内レール１０４に沿って開閉方向へスライドさせて、引込装置１０５の取付位置を調整し、その後、ドライバー等を用いてそれぞれのねじ１０９,１１０を回し、ケーシング１０６の両端部１０６ａ,１０６ｂを案内レール１０４に取り付けている。
【０００９】
しかしながら、戸袋や引戸を取り付けた状態では、開方向側のねじ１０９の真下に引戸が存在するため、戸袋や引戸が邪魔になり、開方向側のねじ１０９を回す等の作業が困難であるといった問題があった。尚、引戸を開いて開口部を開放した状態においては、反対の閉方向側のねじ１１０の真下には引戸が存在しないため、閉方向側のねじ１１０を回す作業については、開口部のスペースを作業スペースとして利用することで、行うことができる。
【００１０】
本発明は、戸袋や引戸が引込装置の取付作業の邪魔にならず、戸袋や引戸を設けた状態で、引込装置を案内部材の最適な取付位置に容易且つ正確に取り付けることができる引戸装置を提供することを目的とする。
【課題を解決するための手段】
【００１１】
上記目的を達成するために、本第１発明は、戸袋内に収納されて開口部を開く開位置と戸袋の外側に出て開口部を閉じる閉位置との間を開閉方向に移動自在な引戸と、引戸を開閉方向に支持案内する案内部材と、引戸を閉方向へ引き込む引込装置とが備えられた引戸装置であって、
案内部材に、溝が長さ方向に形成され、
引込装置は、開方向側の端部に第１取付装置を有するとともに、閉方向側の端部に第２取付装置を有し、
第１取付装置は、案内部材の溝に支持案内されて開閉方向に移動自在な第１取付部材と、第１取付部材に設けられた弾性部材とを有し、
弾性部材は付勢力によって引込装置の開方向側の端部を案内部材に押し付け、
第２取付装置は、案内部材の溝に支持案内されて開閉方向に移動自在な第２取付部材と、第２取付部材に設けられた締付部材とを有し、
締付部材は締付力によって引込装置の閉方向側の端部を案内部材に押し付けるものである。
【００１２】
これによると、引込装置の第１取付装置の第１取付部材と第２取付装置の第２取付部材とをそれぞれ案内部材の溝に挿入して、引込装置を案内部材に仮付けしておく。その後、取付現場にて戸袋と案内部材と引戸とを取り付けた後、第１および第２取付装置と共に引込装置を案内部材に沿って開閉方向にスライドさせて、引込装置の取付位置を調整し、第２取付装置の締付部材を第２取付部材に締め付ける。
【００１３】
これにより、第１取付装置の弾性部材の付勢力によって引込装置の開方向側の端部が案内部材に押し付けられるとともに、第２取付装置の締付部材の締付力によって引込装置の閉方向側の端部が案内部材に押し付けられる。これにより、引込装置の取付位置を調整して、引込装置を案内部材の最適な取付位置に容易に取り付けて固定することができる。
【００１４】
このような取付作業において、引込装置の開方向側の端部は、ねじではなく、第１取付装置の弾性部材によって案内部材に押し付けられているため、第１取付装置についてはねじを回す作業が不要になる。これにより、戸袋や引戸が引込装置の取付作業の邪魔にならず、戸袋や引戸を設けた状態で、引込装置を案内部材の最適な取付位置に容易且つ正確に取り付けることができる。
【００１５】
本第２発明は、戸袋内に収納されて開口部を開く開位置と戸袋の外側に出て開口部を閉じる閉位置との間を開閉方向に移動自在な引戸と、引戸を開閉方向に支持案内する案内部材と、引戸を閉方向へ引き込む引込装置とが備えられた引戸装置であって、
案内部材に、溝が長さ方向に形成され、
引込装置は、開方向側の端部に第１取付装置を有するとともに、閉方向側の端部に第２取付装置を有し、
第１取付装置は案内部材の溝に支持案内されて開閉方向に移動自在な第１取付部材を有し、
第１取付部材は案内部材の溝内を開閉方向に移動自在な第１スライド体を有し、
引込装置が案内部材に取り付けられる取付姿勢になった場合、第１スライド体が押付姿勢になって、第１スライド体の開閉方向における端部が溝内で案内部材に押し付けられ、
引込装置の閉方向側の端部が取付姿勢から傾斜した傾斜姿勢になった場合、第１スライド体が押付解除姿勢になって、上記第１スライド体の端部の案内部材への押し付けが解除され、
第２取付装置は、案内部材の溝に支持案内されて開閉方向に移動自在な第２取付部材と、第２取付部材に設けられた締付部材とを有し、
締付部材は締付力によって引込装置の閉方向側の端部を案内部材に押し付けるものである。
【００１６】
これによると、引込装置の第１取付装置の第１取付部材の第１スライド体と第２取付装置の第２取付部材とをそれぞれ案内部材の溝に挿入し、引込装置を案内部材に仮付けしておく。その後、取付現場にて戸袋と案内部材と引戸とを取り付けた後、引込装置を取付姿勢から傾斜姿勢にする。これにより、第１取付装置の第１スライド体が押付解除姿勢になって、上記第１スライド体の端部の案内部材への押し付けが解除され、第１および第２取付装置と共に引込装置を案内部材に沿って開閉方向にスライドさせることができる。
【００１７】
このように引込装置を傾斜姿勢にして開閉方向へスライドさせ、引込装置の取付位置を調整し、その後、引込装置を傾斜姿勢から取付姿勢に戻し、第２取付装置の締付部材を第２取付部材に締め付ける。
【００１８】
これにより、第１取付装置の第１スライド体が押付姿勢になって、第１スライド体の端部が案内部材に押し付けられるとともに、第２取付装置の締付部材の締付力によって引込装置の閉方向側の端部が案内部材に押し付けられる。これにより、引込装置の取付位置を調整して、引込装置を案内部材の最適な取付位置に容易に取り付けて固定することができる。
【００１９】
このような取付作業において、引込装置を傾斜姿勢から取付姿勢にすることにより、第１取付装置の第１スライド体の端部が案内部材に押し付けられるため、第１取付装置についてはねじを回す作業が不要になる。これにより、戸袋や引戸が引込装置の取付作業の邪魔にならず、戸袋や引戸を設けた状態で、引込装置を案内部材の最適な取付位置に容易且つ正確に取り付けることができる。
【発明の効果】
【００２０】
以上のように本発明によると、引込装置の取付作業において、引込装置の開方向側の端部は、ねじではなく、第１取付装置の弾性部材によって案内部材に押し付けられているため、第１取付装置についてはねじを回す作業が不要になる。これにより、戸袋や引戸が引込装置の取付作業の邪魔にならず、戸袋や引戸を設けた状態で、引込装置を案内部材の最適な取付位置に容易且つ正確に取り付けることができる。
【図面の簡単な説明】
【００２１】
【図１】本発明の第１の実施の形態における引戸装置の正面図であり、引戸を閉じた状態を示す。
【図２】同、引戸装置の正面図であり、引戸を開いた状態を示す。
【図３】同、引戸装置の分解斜視図である。
【図４】同、引戸装置を戸尻側から見た図である。
【図５】図４の一部を拡大した拡大図である。
【図６】同、引戸装置の上部案内レールと引込装置と引戸の吊車装置との一部切欠き斜視図である。
【図７】同、引戸装置の上部案内レールと引込装置との一部切欠き側面図である。
【図８】同、引戸装置の引込装置と上部案内レールの戸先側の端部との斜視図である。
【図９】同、引戸装置の引込装置の分解斜視図である。
【図１０】同、引戸装置の引戸を開位置から閉方向へ移動させたときの引込装置の動作を示す図である。
【図１１】同、引戸装置の引戸を開位置から閉方向へ移動させたときの引込装置の動作を示す図である。
【図１２】同、引戸装置の引戸を開位置から閉方向へ移動させたときの引込装置の動作を示す図である。
【図１３】同、引戸装置の引戸を開位置から閉方向へ移動させたときの引込装置の動作を示す図である。
【図１４】同、引戸装置の引込装置の第１取付装置の拡大断面図である。
【図１５】図１４におけるＸ−Ｘ矢視図である。
【図１６】同、引戸装置の引込装置の第１取付装置の拡大分解図である。
【図１７】同、引戸装置の引込装置の第２取付装置の拡大断面図である。
【図１８】同、引戸装置の引込装置の第２取付装置の拡大分解図である。
【図１９】同、引戸装置の引戸を上部案内レールから着脱するときの様子を示す図である。
【図２０】本発明の第２の実施の形態における引戸装置の上部案内レールと取付姿勢の引込装置との一部切欠き側面図である。
【図２１】同、引戸装置の取付姿勢の引込装置の第１および第２取付装置の拡大断面図である。
【図２２】同、引戸装置の引込装置の第１取付装置の第１スライド板の拡大断面図である。
【図２３】同、引戸装置の上部案内レールと傾斜姿勢の引込装置との一部切欠き側面図である。
【図２４】同、引戸装置の傾斜姿勢の引込装置の第１取付装置の拡大断面図である。
【図２５】従来の引戸装置の引戸装置の上部案内レールと引込装置と引戸の吊車装置との一部切欠き斜視図である。
【発明を実施するための形態】
【００２２】
以下、本発明における実施の形態を、図面を参照して説明する。
（第１の実施の形態）
第１の実施の形態では、図１〜図３に示すように、１は例えば家屋等に設けられる引戸装置であり、引戸装置１は、堅枠２と、戸袋３と、堅枠２内に形成された開口部４を開閉する引戸５と、引戸５を開閉方向に支持案内する上部案内レール６（案内部材の一例）と、引戸５を閉方向へ引き込む引込装置７と、戸袋３の下端部に入り込んだ案内ローラ１８とを備えている。
堅枠２は、一対の縦枠８,９と、両縦枠８,９の上端部間に設けられた上枠１０とを有している。
【００２３】
引戸５は、上部案内レール６に支持案内されて、戸袋３内に収納されて開口部４を開く開位置Ｏ（図２参照）と戸袋３の外側に出て開口部４を閉じる閉位置Ｓ（図１参照）との間を開閉方向に移動自在である。
【００２４】
尚、閉方向移動の元である開位置Ｏの側を戸尻側と称し、閉方向移動の先である閉位置Ｓの側を戸先側と称することもある。
図１〜図５に示すように、引戸５の上部には戸尻側の吊車装置１１と戸先側の吊車装置１２とがそれぞれ、着脱自在に設けられている。これら吊車装置１１,１２はそれぞれ、開閉方向において三個の車輪１３を有している。引戸５は吊車装置１１,１２を介して上部案内レール６に吊り下げられている。尚、吊車装置１１,１２はそれぞれ三個の車輪１３を有しているが、三個以外の複数個又は単数個の車輪１３を有しているものでもよい。
【００２５】
また、図６に示すように、戸尻側の吊車装置１１は、引戸５の上部に取り付けられて車輪１３を保持している保持部材４４と、保持部材４４に形成された開閉方向に長い溝部４５と、溝部４５に案内され且つ保持部材４４に対して開閉方向へ移動自在な係合部材４６と、係合部材４６の戸先側に設けられた初動緩和ばね４７とを有している。
【００２６】
また、図３,図４に示すように、引戸５の下部には、下方が開放された門形状の下部案内レール１６が設けられている。引戸５の下方には、ねじ１９を介して固定板１７が取り付けられ、固定板１７には、下方から下部案内レール１６内に入り込んだ案内ローラ１８が設けられている。案内ローラ１８は、上下方向の軸心周りに回転自在であり、戸袋３の戸先側の端部に位置している。また、図２に示すように、ねじ１９は戸袋３の外側に露出して開口部４内に位置している。これにより、開口部４においてねじ１９を着脱することで、案内ローラ１８と共に固定板１７を容易に着脱することができる。
【００２７】
図４,図５に示すように、上部案内レール６は、堅枠２の上枠１０に設けられており、上板部２０と、上板部２０の両側縁から下向きに設けられた一対の縦板部２１,２２と、一対の突片部２５,２６とを有している。両縦板部２１,２２は上部案内レール６の幅方向Ｗにおいて相対向している。このうち、一方の縦板部２１の下部には、レール片２４が、上部案内レール６の内側において上向きに突出し、上部案内レール６の全長に亘り形成されている。吊車装置１１,１２の各車輪１３はレール片２４に支持されてレール片２４上を開閉方向に転動する。
【００２８】
また、図５,図１９に示すように、両突片部２５,２６は、上部案内レール６の全長に亘って上板部２０と他方の縦板部２２の上部とに設けられ、互いに水平方向に突出している。上板部２０と突片部２５,２６との上下間には、下方が開放された溝２８が上部案内レール６の全長に亘り形成されている。
【００２９】
図６〜図９に示すように、引込装置７は、上部案内レール６の内側に取り付けられるケーシング３１と、ケーシング３１に設けられ且つケーシング３１に対して開閉方向へ移動自在な駆動用カム３２と、ケーシング３１内に設けられた引込ばね３３および直動ダンパー３４と、第１および第２取付装置３７,３８とを有している。
【００３０】
ケーシング３１は、ケーシング本体３１ａと、ケーシング本体３１ａの外側を覆う薄い金属製のケーシングカバー３１ｂとを有している。
ケーシング本体３１ａには、駆動用カム３２の開閉方向への移動を可能にする案内溝４０が形成されている。直動ダンパー３４は伸縮自在なロッド３５を有している。引込ばね３３の一端部と直動ダンパー３４の一端部とはケーシング本体３１ａ側に固定されている。また、引込ばね３３の他端部は駆動用カム３２に接続されている。また、直動ダンパー３４のロッド３５の先端部には案内軸部３６が設けられている。
【００３１】
図９〜図１３に示すように、駆動用カム３２は案内突部４１と孔部４２とを有している。直動ダンパー３４のロッド３５の案内軸部３６が孔部４２を貫通し、この案内軸部３６と案内突部４１とが案内溝４０に挿入されて開閉方向へ案内される。案内溝４０は、戸尻側の端部に、上向きに傾斜した傾斜溝部４０ａと、傾斜溝部４０ａから上向きに延びた端部切込部４０ｂとを有している。尚、駆動用カム３２は、案内溝４０の戸尻側の端部まで移動した際、案内溝４０の傾斜溝部４０ａに案内されて上向きに傾斜した姿勢になり、案内突部４１が案内溝４０の端部切込部４０ｂに係合し、案内溝４０の戸尻側の端部に留まる。
【００３２】
また、係合部材４６は駆動用カム３２に係脱可能である。図７,図８,図１４〜図１８に示すように、ケーシング３１のケーシングカバー３１ｂの上部には、上部案内レール６の突片部２５,２６に下方から当接する一対の上部当接面４８,４９と、上部当接面４８,４９から上方に突出する上部突部５０とがそれぞれ全長に亘り形成されている。また、図１５に示すように、ケーシング３１の上部突部５０は両突片部２５,２６間から溝２８に入り込んでいる。
【００３３】
引込装置７は第１および第２取付装置３７,３８によって上部案内レール６に取り付けられている。
図７,図８,図１４〜図１６に示すように、第１取付装置３７は、ケーシング３１の戸尻側（開方向側）の端部に設けられた第１板部５１と、上部案内レール６の溝２８に支持案内されて開閉方向に移動自在な第１取付部材５２と、第１取付部材５２に設けられた圧縮コイルばね５３（弾性部材の一例）とを有している。第１板部５１は溝２８の外側下方に位置している。
【００３４】
第１取付部材５２は、溝２８内を開閉方向にスライド可能な第１スライド板５４と、第１板部５１に形成された貫通孔５５に下方から挿通されて第１スライド板５４に螺合した第１ねじ５６とを有している。圧縮コイルばね５３は、第１ねじ５６に外嵌され、第１ねじ５６の頭部と第１板部５１との間に挟まれて圧縮されている。
【００３５】
尚、第１スライド板５４に形成されたねじ孔５７は、第１ねじ５６の先端が第１スライド板５４の上方に突出しないように、雌ねじの一部を潰して加工している。
図７,図８,図１７,図１８に示すように、第２取付装置３８は、ケーシング３１の戸先側（閉方向側）の端部に設けられた第２板部６０と、上部案内レール６の溝２８に支持案内されて溝２８内を開閉方向に移動自在な平板状の第２取付部材６１と、第２取付部材６１に設けられた第２ねじ６２（締付部材の一例）とを有している。第２ねじ６２は、第２板部６０に形成された貫通孔６３に下方から挿通されて第２取付部材６１に螺合している。
【００３６】
以下、上記構成における作用を説明する。
図２に示すように、引戸５を開位置Ｏまで移動させることにより、引戸５が戸袋３内に収納され、開口部４が開放される。この状態では、図１０に示すように、引込装置７の引込ばね３３と直動ダンパー３４のロッド３５とが伸長し、駆動用カム３２は、案内溝４０の傾斜溝部４０ａに案内されて上向きに傾斜した姿勢になり、案内突部４１が案内溝４０の端部切込部４０ｂに係合することで、案内溝４０の戸尻側の端部に待機する。
【００３７】
その後、引戸５を開位置Ｏから閉方向へ移動して開口部４を閉じる際、引戸５の戸尻側の吊車装置１１の係合部材４６が駆動用カム３２に係合して駆動用カム３２を閉方向に押す。尚、上記係合部材４６が駆動用カム３２に係合するときの衝撃は初動緩和ばね４７によって緩和される。
【００３８】
上記のように係合部材４６が駆動用カム３２に係合して駆動用カム３２を閉方向に押すことにより、駆動用カム３２が案内軸部３６を中心に時計方向に回動し、図１１に示すように、案内突部４１が案内溝４０の端部切込部４０ｂから下方に離脱する。このため、引込ばね３３が短縮し、駆動用カム３２が短縮する引込ばね３３に引っ張られて閉方向へ移動し、駆動用カム３２と係合している係合部材４６も引込ばね３３の引張力によって閉方向へ移動するため、図１２に示すように係合部材４６と共に引戸５が強制的に閉方向へ引き込まれる。
【００３９】
この際、駆動用カム３２の閉方向への移動に伴って直動ダンパー３４のロッド３５が短縮するため、駆動用カム３２は、閉方向への移動速度が減衰するとともに、引込ばね３３の引張力によって緩やかに閉方向へ移動する。これにより、図１,図１３に示すように、引戸５が閉位置Ｓまで緩やかに移動するので戸先側の縦枠９に当るときの衝撃を緩和（緩衝）することができる。
【００４０】
また、引戸５を閉位置Ｓから開方向へ移動する場合は、上述した引戸５を閉方向へ移動した場合の動作と、逆になる。
以下に、上記引戸装置１の引込装置７の取付方法について説明する。
【００４１】
取付現場で引戸装置１を取り付ける前に、例えば工場等において、図８,図１４に示すように、引込装置７に備えられた第１取付装置３７の第１取付部材５２の第１スライド板５４を、上部案内レール６の戸先側（閉方向側）の端部から、上部案内レール６の溝２８に挿入する。そして、引込装置７の上部突部５０を上部案内レール６の両突片部２５,２６間に挿入して、引込装置７を、戸先側から戸尻側へ、上部案内レール６に沿って開方向に押し込み、さらに、図１７に示すように、引込装置７に備えられた第２取付装置３８の第２取付部材６１を、上部案内レール６の戸先側の端部から、上部案内レール６の溝２８に挿入して、引込装置７を上部案内レール６に仮付けしておく。尚、この際、第２取付装置３８の第２ねじ６２は第２取付部材６１に締め込まずに緩めた状態にしておく。
【００４２】
この状態で、引戸装置１の各部品と上記引込装置７が仮付けされた上部案内レール６とを工場から取付現場へ搬送する。
取付現場において、家屋の壁等に、堅枠２を設け、堅枠２に上部案内レール６と戸袋３とを取り付け、さらに、上部案内レール６に引戸５を取り付け、図２に示すように、引戸５を開位置Ｏへ移動させて、開口部４を開放しておく。
【００４３】
その後、第１および第２取付装置３７,３８と共に引込装置７を上部案内レール６に沿って開閉方向にスライドさせて、引込装置７の取付位置を調整する。次に、開口部４において、第２取付装置３８の第２ねじ６２をドライバー等で回して第２取付部材６１に締め付ける。
【００４４】
これにより、図１７に示すように、第２取付部材６１が上部案内レール６の突片部２５,２６に上方から下向きに押し付けられ、引込装置７のケーシング３１の上部当接面４８,４９の戸先側（閉方向側）の端部Ａが下方から上部案内レール６の突片部２５,２６に所定の力Ｆ１で押し付けられる。また、図１４,図１５に示すように、第１取付装置３７の圧縮コイルばね５３の付勢力（伸長力）によって、引込装置７のケーシング３１の上部当接面４８,４９の戸尻側（開方向側）の端部Ｂが下方から上部案内レール６の突片部２５,２６に所定の力Ｆ２で押し付けられ、これにより、上部当接面４８,４９が全長にわたり突片部２５,２６に当接し押圧される。従って、引込装置７の取付位置を調整して、引込装置７を上部案内レール６の最適な取付位置に容易に取り付けて固定することができる。
【００４５】
このような取付作業の際、図１４に示すように、引戸５が引込装置７の第１取付装置３７の真下に存在しているが、引込装置７の戸尻側（開方向側）の端部Ｂは、ねじではなく、第１取付装置３７の圧縮コイルばね５３によって上部案内レール６に押し付けられているため、ねじを回す作業が不要になる。これにより、戸袋３や引戸５が引込装置７の取付作業の邪魔にならず、戸袋３や引戸５を取り付けた状態で、引込装置７を上部案内レール６の最適な取付位置に容易且つ正確に取り付けることができる。
【００４６】
尚、上記のように、引込装置７を上部案内レール６に取り付けて固定する場合、第１取付装置３７については、ねじを回す作業が不要であるため、引込装置７の取付作業が容易になる。また、図１７に示すように、第２取付装置３８については、第２ねじ６２をドライバー等で回す必要があるが、この際、予め引戸５を開位置Ｏへ移動させて開口部４を開放しているので、第２取付装置３８の真下に引戸５は存在せず、作業者は、開口部４を作業スペースとして利用して、容易に第２ねじ６２をドライバー等で回す作業を行うことができる。
【００４７】
また、引戸５の吊車装置１１,１２の全ての車輪１３は上部案内レール６の一本のレール片２４に支持されてレール片２４上を開閉方向に転動するように構成されているため、図１９に示すように、引戸５を斜めにして、車輪１３をレール片２４から取り外すことができる。これにより、引戸５を容易に上部案内レール６に着脱することができる。
【００４８】
上記実施の形態において、上部案内レール６の戸先側の端部にワイヤーを接続し、このワイヤーを巻き取るゼンマイ式の巻取装置を引戸５に設け、引戸５を閉方向に移動して閉じる際に、巻取装置がワイヤーを巻き取ることで、引戸５の閉方向への移動を軽くスムーズに行えるようにしてもよい。
【００４９】
上記実施の形態に記載した引戸装置１の引込装置７の取付方法では、図８,図１４に示すように、引込装置７の第１取付装置３７の第１スライド板５４を上部案内レール６の戸先側（閉方向側）の端部から溝２８に挿入し、引込装置７を戸先側から戸尻側へ上部案内レール６に沿って開方向に押し込み、引込装置７の第２取付装置３８の第２取付部材６１を上部案内レール６の戸先側の端部から溝２８に挿入して、引込装置７を上部案内レール６に仮付けしているが、反対方向すなわち、引込装置７の第２取付装置３８の第２取付部材６１を上部案内レール６の戸尻側（開方向側）の端部から溝２８に挿入し、引込装置７を戸尻側から戸先側へ上部案内レール６に沿って閉方向に押し込み、引込装置７の第１取付装置３７の第１スライド板５４を上部案内レール６の戸尻側の端部から溝２８に挿入して、引込装置７を上部案内レール６に仮付けしてもよい。
【００５０】
尚、上記のように引込装置７を上部案内レール６の端部から上部案内レール６の内側に押し込んで取付けているが、引込装置７を上部案内レール６の下方から上部案内レール６の内側に押し込んで取付けることも可能である。
【００５１】
また、取付現場において、家屋の壁等に、上部案内レール６と戸袋３とを取り付けた後、引込装置７を上部案内レール６に着脱することも可能である。
（第２の実施の形態）
以下に、第２の実施の形態について説明する。尚、先に述べた第１の実施の形態と同じ部材については、同一の符号を付記して、その詳細な説明を省略する。
【００５２】
第２の実施の形態では、図２０〜図２２に示すように、第１取付装置７１は、引込装置７のケーシング３１の戸尻側（開方向側）の端部に設けられた第１板部５１と、上部案内レール６の溝２８に支持案内されて開閉方向に移動自在な第１取付部材５２とを有している。
【００５３】
第１取付部材５２は、溝２８内を開閉方向にスライド可能な第１スライド板７２（第１スライド体の一例）と、第１板部５１の貫通孔５５に下方から挿通されて第１スライド板７２に螺合した第１ねじ５６とを有している。
【００５４】
尚、図２２に示すように、第１スライド板７２に形成されたねじ孔５７は、第１ねじ５６の先端が第１スライド板７２の上方に突出しないように、雌ねじの一部を潰して加工している。また、ねじ孔５７の中心線７４は第１スライド板７２の上下両面に直交する垂線７５に対して傾斜している。
【００５５】
これにより、図２１に示すように、第１スライド板７２は、第１板部５１に対して、戸尻側の端部７２ａが戸先側の端部７２ｂよりも下位になるように傾斜している。これにより、第１スライド板７２と第１板部５１との上下間隔は戸先側から戸尻側ほど縮小する。
【００５６】
図２０,図２１に示すように、引込装置７が上部案内レール６に取り付けられる取付姿勢になった場合、第１スライド板７２が押付姿勢になって、第１スライド板７２の戸尻側の端部７２ａが溝２８内で上部案内レール６の両突片部２５,２６に押し付けられるとともに、第１スライド板７２の戸先側の端部７２ｂが溝２８内で上部案内レール６の上板部２０に押し付けられ、楔作用によって、第１スライド板７２の端部７２ａが両突片部２５,２６に食い込むとともに、第１スライド板７２の端部７２ｂが上板部２０に食い込む。
【００５７】
尚、上記取付姿勢とは例えば水平姿勢であり、上記押付姿勢とは、例えば第１スライド板７２が、溝２８内にて、上部案内レール６の上板部２０と両突片部２５,２６とに対して傾斜した姿勢である。
【００５８】
また、図２３,図２４に示すように、引込装置７の戸先側の端部が取付姿勢から下方へ傾斜した傾斜姿勢になった場合、第１スライド板７２が押付解除姿勢になって、上記第１スライド板７２の端部７２ａ, ７２ｂの上部案内レール６への押し付けが解除される。
【００５９】
尚、上記押付解除姿勢とは、例えば第１スライド板７２が、溝２８内にて、上部案内レール６の上板部２０と両突片部２５,２６とに平行となる姿勢である。
図２０,図２１に示すように、第２取付装置３８は、ケーシング３１の戸先側（閉方向側）の端部に設けられた第２板部６０と、上部案内レール６の溝２８に支持案内されて溝２８内を開閉方向に移動自在な平板状の第２取付部材６１と、第２取付部材６１に設けられた第２ねじ６２（締付部材の一例）とを有している。
【００６０】
以下、上記構成における作用を説明する。
取付現場で引戸装置１を取り付ける前に、例えば工場等において、図２０に示すように、引込装置７を、取付姿勢にして、第１および第２取付装置７１,３８によって上部案内レール６に仮付けしておく。尚、この際、第２取付装置３８の第２ねじ６２は第２取付部材６１に締め込まずに緩めた状態にしておく。
【００６１】
この状態で、引戸装置１の各部品と上記引込装置７が仮付けされた上部案内レール６とを工場から取付現場へ搬送する。
取付現場において、家屋の壁等に、堅枠２を設け、堅枠２に上部案内レール６と戸袋３とを取り付け、さらに、上部案内レール６に引戸５を取り付け、図２に示すように、引戸５を開位置Ｏへ移動させて、開口部４を開放しておく。
【００６２】
その後、図２３に示すように、第２ねじ６２を、第２取付部材６１から取り外し、第２板部６０の貫通孔６３から脱抜し、引込装置７を取付姿勢から傾斜姿勢に傾斜させる。これにより、図２４に示すように、第１スライド板７２が押付解除姿勢になって、上記第１スライド板７２の端部７２ａ, ７２ｂの上部案内レール６への押し付けが解除され、上部案内レール６に対して引込装置７を開閉方向へスライドさせることができる。
【００６３】
このようにして引込装置７の取付位置を調整した後、図２０に示すように、引込装置７を傾斜姿勢から取付姿勢に戻し、さらに、開口部４において、第２取付装置３８の第２ねじ６２をドライバー等で回して第２取付部材６１に締め付ける。
【００６４】
これにより、図２１に示すように、第１スライド板７２が押付解除姿勢から押付姿勢に戻って、第１スライド板７２の戸尻側の端部７２ａが上部案内レール６の両突片部２５,２６に押し付けられるとともに、第１スライド板７２の戸先側の端部７２ｂが上部案内レール６の上板部２０に押し付けられ、楔作用によって、第１スライド板７２の端部７２ａが両突片部２５,２６に食い込むとともに、第１スライド板７２の端部７２ｂが上板部２０に食い込む。
【００６５】
また、第２取付部材６１が上部案内レール６の突片部２５,２６に上方から下向きに押し付けられ、引込装置７のケーシング３１の上部当接面４８,４９の戸先側（閉方向側）の端部Ａが下方から上部案内レール６の突片部２５,２６に所定の力Ｆ１で押し付けられる。これにより、引込装置７の取付位置を調整して、引込装置７を上部案内レール６の最適な取付位置に容易に取り付けて固定することができる。
【００６６】
このような取付作業において、引込装置７を傾斜姿勢（図２３参照）から取付姿勢（図２０参照）にすることにより、図２１に示すように、第１取付装置７１の第１スライド板７２の端部７２ａ, ７２ｂが上部案内レール６に押し付けられるため、第１取付装置７１についてはねじを回す作業が不要になる。これにより、戸袋３や引戸５が引込装置７の取付作業の邪魔にならず、戸袋３や引戸５を設けた状態で、引込装置７を上部案内レール６の最適な取付位置に容易且つ正確に取り付けることができる。
【００６７】
尚、上記のように、引込装置７を上部案内レール６に取り付けて固定する場合、第１取付装置３７については、ねじを回す作業が不要であるため、引込装置７の取付作業が容易になる。また、図２１に示すように、第２取付装置３８については、第２ねじ６２をドライバー等で回す必要があるが、この際、予め引戸５を開位置Ｏへ移動させて開口部４を開放しているので、第２取付装置３８の真下に引戸５は存在せず、作業者は、開口部４を作業スペースとして利用して、容易に第２ねじ６２をドライバー等で回す作業を行うことができる。
【００６８】
さらに、図２３に示すように、引込装置７を傾斜姿勢にした際においても、予め引戸５を開位置Ｏへ移動させて開口部４を開放しているので、引込装置７の戸先側の端部が引戸５の上端部に干渉することはない。
【符号の説明】
【００６９】
１      引戸装置
３      戸袋
４      開口部
５      引戸
６      上部案内レール（案内部材）
７      引込装置
２８    溝
３７    第１取付装置
３８    第２取付装置
５２    第１取付部材
５３    圧縮コイルばね（弾性部材）
６１    第２取付部材
６２    第２ねじ（締付部材）
７１    第１取付装置
７２    第１スライド板（第１スライド体）
７２ａ，７２ｂ    第１スライド板の端部
Ａ      ケーシングの戸先側の端部（引込装置の閉方向側の端部）
Ｂ      ケーシングの戸尻側の端部（引込装置の開方向側の端部）
Ｏ      開位置
Ｓ      閉位置
【図１】
0006647087.tif 000002
【図２】
0006647087.tif 000003
【図３】
0006647087.tif 000004
【図４】
0006647087.tif 000005
【図５】
0006647087.tif 000006
【図６】
0006647087.tif 000007
【図７】
0006647087.tif 000008
【図８】
0006647087.tif 000009
【図９】
0006647087.tif 000010
【図１０】
0006647087.tif 000011
【図１１】
0006647087.tif 000012
【図１２】
0006647087.tif 000013
【図１３】
0006647087.tif 000014
【図１４】
0006647087.tif 000015
【図１５】
0006647087.tif 000016
【図１６】
0006647087.tif 000017
【図１７】
0006647087.tif 000018
【図１８】
0006647087.tif 000019
【図１９】
0006647087.tif 000020
【図２０】
0006647087.tif 000021
【図２１】
0006647087.tif 000022
【図２２】
0006647087.tif 000023
【図２３】
0006647087.tif 000024
【図２４】
0006647087.tif 000025
【図２５】
0006647087.tif 000026